(57)【特許請求の範囲】
【請求項１】
固定部と、可動部と、電流が供給されると励磁されて前記固定部に前記可動部を電磁吸引力により吸引する方向に移動するコイルとを有する電磁式燃料噴射装置であって、
前記可動部に取り付けられるゴムシートと、
前記固定部に形成され、前記ゴムシートが当接可能な弁座面をもつ弁座部と、
薄板状部分を有し、径方向内側部が前記ゴムシートに固定され、径方向外側部が前記固定部に固定され、薄板状部分の板面に対し直交する方向に変位可能な板ばねと、
前記固定部に固定され、前記可動部の外周の一部分を軸方向に相対移動可能に支持するガイド部材と、
前記ゴムシートが前記弁座面に当接する方向に付勢する付勢手段とを備え、
前記板ばねにより仕切られる一方の空間側に燃料入口が形成され、他方の空間側に燃料出口が形成され、
前記可動部は、前記コイルへの通電により発生する電磁吸引力によって前記固定部に吸引される可動コアを有し、前記可動コア、前記板ばね及び前記ゴムシートは、前記可動コアと前記ゴムシートとの間に前記板ばねが位置する状態で一体に構成されていることを特徴とする電磁式燃料噴射装置。
【請求項２】
前記ゴムシートと、前記板ばねと、前記可動部の最大リフト量を規制するゴムストッパとが一体成形により形成されていることを特徴とする請求項１記載の電磁式燃料噴射装置。
【請求項３】
前記付勢手段は、圧縮コイルスプリングであり、この圧縮コイルスプリングの設定荷重を可変にするシムが設けられ、このシムは弁体のリフト量を決定する調量部材に一体的に形成されていることを特徴とする請求項１または請求項２記載の電磁式燃料噴射装置。
【請求項４】
前記ガイド部材は、前記可動コアの外周壁と摺接する内周壁にポリテトラフルオロエチレンによるコーティングが施されていることを特徴とする請求項１、２又は３記載の電磁式燃料噴射装置。
【請求項５】
前記板ばねの前記径方向外側部は、前記弁座部とスペーサとで狭持固定されていることを特徴とする請求項１〜４のいずれか一項記載の電磁式燃料噴射装置。
【請求項６】
前記板ばねは円状の薄板であり、前記径方向内側部から前記径方向外側部に延びるとともに周方向にも延び前記径方向内側部と前記径方向外側部とを接続する腕部と、前記腕部によって仕切られる燃料通路とを有していることを特徴とする請求項１〜５のいずれか一項記載の電磁式燃料噴射装置。
【発明の詳細な説明】
【０００１】
【発明の属する技術分野】
本発明は、電磁式燃料噴射弁に関するもので、特に天然ガスなどの気体燃料を使用するのに適した電磁式燃料噴射弁に関する。
【０００２】
【従来の技術】
従来より、内燃機関の吸気管に取り付けられる電磁式燃料噴射弁は、弁ボディの内部に取り付けられるコイルへの通電により発生する電磁吸引力を利用して固定子に対し可動子をスプリングに抗して移動することにより、弁ボディに対し弁部材を相対移動させ、弁の開閉を行うようにしたものが周知である。コイルへの通電のオンオフにより弁ボディの弁座に対し弁部材の着座と離座を繰り返し、燃料ノズルからの燃料の噴射と遮断を繰り返すことにより、所望の噴射タイミングで所望量の燃料を噴射する。
【０００３】
このような電磁式燃料噴射弁の一例として図４に示すような構造のものが知られている。
図４に示す電磁式燃料噴射弁は、弁ボディ１の内部に軸方向に移動可能にニードル弁３が収容され、ニードル弁３の後端に圧縮コイルスプリング８の一端が当接する。圧縮コイルスプリング８の他端は、フランジ５の内部に固定される円柱状の調量部材６に当接する。弁ボディ１は、弁ケース２の先端をカシメることにより弁ケース２の肩部にディスタンスピース４を介して固定されている。これにより、ニードル弁３が弁ボディ１の弁座に当接する方向に付勢されている。
【０００４】
電磁コイル７に通電されると、ニードル弁３が圧縮コイルスプリング８に抗してフランジ５側に吸引移動し、弁ボディ１の弁座からニードル弁３が離座し、噴射孔９から燃料を噴射する。
【０００５】
【発明が解決しようとする課題】
しかしながら、このような電磁式燃料噴射弁によると、例えば図４に示すように、ニードル弁３の第一摺動部１１と第二摺動部１２が弁ボディ１の円筒内壁に接することにより、ニードル弁３が軸方向に安定して移動する構成になっている。
【０００６】
このような構成において、天然ガス等の気体燃料を使用する場合、液体燃料を使用する場合と対比すると、燃料の性状等に起因して液体使用時のような良好な潤滑を得ることは難しい。従って、気体燃料を使用する場合、第一摺動部１１および第二摺動部１２が磨耗しやすいので、燃料噴射特性が変化しやすいし、スティックしやすいとう問題がある。
【０００７】
また、この構成をとる場合、第一摺動部および第二摺動部と弁ボディの円筒孔内壁とのクリアランスの寸法管理に要する工数が増大し、コスト高になるという問題点がある。弁部品の寸法管理については、ニードル弁のリフト量の管理をも要する。
このような磨耗を低減するために摺動部と弁ボディの円筒孔内壁との接触面積を大きくすることにより面圧を低下させ磨耗を低減する方法が考えられる。しかし、摺動部と弁ボディの円筒孔内壁との接触面積を大きくすることにより、弁ボディの体格が大型化するという問題がある。
【０００８】
本発明は、前記問題点を解決するためになされたもので、弁部品の磨耗の低減と摺動面積の縮小を両立し、燃料噴射特性の良好な小型化可能な電磁式燃料噴射装置を提供することを目的とする。
本発明の別の目的は、高精度な寸法管理を要することなしに製造コスト低減可能な電磁式燃料噴射弁を提供することにある。
【０００９】
【課題を解決するための手段】
請求項１に記載の電磁式燃料噴射装置によると、可動部と固定部との相対移動を安定にするガイド部材の摺動部分の隙間の寸法管理が高精度を要しないことから、寸法管理が容易となり製造コストを低減できるという効果がある。一般に、気体燃料を用いる場合、摺動部分の潤滑性が低下するが、このような気体燃料を用いた場合にも摺動部分の磨耗が部分の接触面積が小さいことから磨耗低減され、耐久性が向上するという効果がある。また可動部と固定部との摩擦接触する摺動部分が実質的に単一箇所であることから、軸方向長さを小型にできるという利点がある。
【００１０】
また、この電磁式燃料噴射装置によると、可動部の軸方向移動が板ばねにより案内されるため軸ぶれが少なく燃料噴射特性を良好に保つことができる。さらに、固定部と可動部を小型化し、体格の小さな電磁式燃料噴射装置を製作できる。請求項２に記載の電磁式燃料噴射装置によると、可動部にゴムシートとゴムストッパと板ばねとが一体に成形されていることから、可動部の体格を小さくすることができ軸方向長さを短縮することができるという効果がある。
【００１１】
請求項３に記載の電磁式燃料噴射装置によると、付勢手段の設定付勢力をシムの軸方向長さにより容易に調節することができるため、開弁設定荷重ならびに燃料量を容易に調整でき、噴射特性を変える自由度が向上するという効果がある。
請求項４に記載の電磁式燃料噴射装置によると、前記ガイド部材は、前記可動コアの外周壁と摺接する内周壁にポリテトラフルオロエチレンによるコーティングが施されている。
請求項５に記載の電磁式燃料噴射装置によると、前記板ばねの前記径方向外側部は、前記弁座部とスペーサとで狭持固定されている。
請求項６に記載の電磁式燃料噴射装置によると、前記板ばねは円状の薄板であり、前記径方向内側部から前記径方向外側部に延びるとともに周方向にも延び前記径方向内側部と前記径方向外側部とを接続する腕部と、前記腕部によって仕切られる燃料通路とを有している。
【００１２】
【発明の実施の形態】
以下、本発明の実施例を図面に基づいて説明する。
図１〜図３は、車両に搭載される火花点火式内燃機関の吸気管に燃料を供給する電磁式燃料噴射装置の一実施例を示す。
図２は燃料噴射装置の縦断面を示し、図１はその主要部の拡大断面図を示し、図３は図１に示すIII-III 線断面図である。
【００１３】
図２に示すように、電磁式燃料噴射装置２１は、弁ケース２を有し、その弁ケース２の先端部２９を折り曲げて案内孔部材２３にかしめることにより、噴射孔部材２２と案内孔部材２３とが一体に弁ケース２に連結されている。噴射孔部材２２の外周に形成される環状凹部にはＯリング２６が弁ケース２の内周壁との間に介装されている。
【００１４】
弁部３１は、図１に示すように、固定部３２と可動部３３とからなり、固定部３２の一部を構成する噴射孔部材２２の上面の弁座面３４に可動部３３が当接可能になっている。
(1)  可動部３３は、弁座面３４に当接可能な円環状突起を有するゴムシート  ３５と、調量部材３８の端面３９に当接可能なゴムストッパ３６と、これらゴムシート３５とゴムストッパ３６とで板ばね４０をインサート成形により一体に成形する円筒部４３とからなる。ゴムシート３５の反当接側の円筒部４３の外周は円筒状の可動コア４１の下端側内壁に溶接固定されている。
【００１５】
ゴムシート３５のリフト量Ｌは、弁座面３４とゴムシート３５との当接時の  ゴムストッパ３６と調量部材３８の端面３９との間のクリアランスで決まる。
(2) 板ばね４０は、可動部３３の一部分を構成し、図３に示すように、円状の薄板の構成をもっている。板ばね４０の外周部６２は噴射孔部材２２の端面とスペーサ２７とで挟持固定されている。中央側固定部６１が外周部６２に対し軸方向に移動しやすいように中央側固定部６１と外周部６２とが腕部６３、６４、６５により接続されている。この腕部６３、６４、６５は、径内外方向に延びるとともに周方向にも長く延び、その両縁により燃料通路５６、５７、５８を仕切る。これにより、腕部６３、６４、６５の径外側と径内側の移動が弾性的に行われやすいようになっている。したがって、可動部３３は、調量部材３８の軸方向に沿ってリフト量L だけ軸方向に移動可能である。また燃料通路５６、５７  、５８は燃料を流通するのに十分な開口面積をもっている。板ばね４０は燃料溜室５５に収容され、板ばね４０の上側に上室４９が形成され、下側に下室５０が形成される。
【００１６】
(3) 付勢手段としての圧縮コイルスプリング８の一端１４がシム４６に当接し、他端１５が円筒部４３に当接している。シム４６の軸方向長さにより圧縮コイルスプリング８のスプリング力が決定されている。また調量部材３８の端面３９の位置で弁部３１の可動部３３のリフト量Ｌが決定される。すなわち、リフト量Ｌで静的流量の管理がなされ、スプリング力で開閉弁特性を決める動的流量の管理がなされている。
【００１７】
(4)  固定部３２の一部を形成する調量部材３８は小径部４４と大径部４５とからなり、小径部４４と大径部４５との境界部に円環状のシム４６が設けられている。
(5)  ガイド部材４２は、可動コア４１の外周壁を隙間を介して案内する部材で、固体潤滑剤、例えばカーボン、モリブデンなどの材料からなる。また他の実施例としては、可動コア４１の外周壁と摺接する部分であるガイド部材４２の内周壁にテフロンコート（「テフロン」は登録商標）を施すこともできる。すなわち、内周壁にポリテトラフルオロエチレンによるコーティングを施すこともできる。可動コア４１の外周の一部分は、弁ケース２に固定される円環状のガイド部材４２の内周壁により案内されている。このガイド部材４２の内周壁と可動コア４１の外周壁との隙間は、高度な寸法管理を要しない。
【００１８】
電磁アクチュエータ５１は、電磁コイル７にターミナル４７から電流が供給されることにより、電磁コイル７が励磁され、発生する電磁吸引力によりフランジ５側に可動部３３を圧縮コイルスプリング８に抗して吸引移動する。弁座面３４からゴムシート３５が離座したとき弁開状態であり、図１に示すように弁座面３４にゴムシート３５が当接しているとき弁閉状態である。電磁コイル７は、コネクタ６７に収納されるターミナル４７を介して図示しない電子制御回路に接続され、その電子制御回路の指令により電磁コイル７への電流の供給および停止が制御される。
【００１９】
燃料供給部は、弁ケース２の外部から内側に貫通される燃料供給孔５３、５４、弁ケース２と噴射孔部材２２の内部に形成される燃料溜室５５、噴射孔２４、案内孔２５で構成される。燃料溜室５５は、板ばね４０の上側の上室４９と下側のの下室５０とに仕切られている。上室４９と下室５０は、燃料入口と燃料出口であり、図３に示すように板を打ち抜いて形成される燃料通路５６、５７、５８により連通している。
【００２０】
次に、この電磁式燃料噴射装置２１の作動について説明する。
電磁コイル７に電流が供給されると、発生する電磁吸引力により可動コア４１が圧縮コイルスプリング８の付勢力に抗してフランジ５側に移動する。可動コア４１がフランジ５側に吸引されるとき、ゴムストッパ３６が調量部材３８の小径部４４の端面３９に当接すると、その位置で弁全開状態となる。電磁コイル７への電流の供給が停止されると、圧縮コイルスプリング８の付勢力により、可動コアに固定されるゴムシート３５が弁座面３４に当接することにより弁閉状態になる。
【００２１】
電磁式燃料噴射装置２１が開弁状態にあるとき、図示しない燃料供給通路からの加圧燃料が燃料供給孔５３、５４、燃料溜室５５の上室４９、燃料通路５６、５７、５８、下室５０、弁座面３４とゴムシート３５との隙間、噴射孔２４、案内孔２５を通って吸気管内に噴射される。
この実施例によると、板ばね４０は、可動コア４１が傾くのを抑制する働きをもち、ガイド部材４２は可動コア４１の移動方向を案内する働きをもつ。従って、ガイド部材４２は過度の荷重がかからない構成であるから、燃料の調量はゴムシート３５のリフト量および電磁コイル７の通電時間によって管理される。弁部のリフト量およびスプリング力は、調量部材３８によって管理され、リフト量とスプリング力が独立に設定できるように圧縮コイルスプリング８のセット長を管理するシム４６が調量部材３８に設定されている。
【００２２】
この実施例によると、可動コア４１の移動時、可動部３３が摩擦接触する部分が軸方向に実質的に単一箇所であり、この摩擦接触部分に対し軸方向に所定の間隔をおいたゴムシート３５が弁座面３４に対し着座と離座可能である。このゴムシート３５に設けられる板ばね４０の中央部と外周部との軸方向距離変化が可能であり、外周部が固定部に固定されている構成であるから、このシート部の径内外方向へのぶれが規制される。しかも、この摩擦接触しうる部分は実質的に摺動部分を構成していない。軸方向へのぶれはないように板ばねにより位置が軸方向に移動できるようにかつ内外方向への移動がないように規制されることから、軸方向へのぶれはガイド部材４２の一カ所で基本的に足りている。このため、実質的な摺動部分を軸方向に設けることなしに、可動部３３の案内を確実に行える。したがって、弁部材の軸方向長さを縮小でき、小型化がはかれる。
【００２３】
またこの実施例では、摺動部分の寸法管理が製作上、緩やかでよいことから、製造管理が容易となり、製品コストを低減できるという効果がある。
【図面の簡単な説明】
【図１】本発明の電磁式燃料噴射装置の中央部を示すもので、図２に示す要部拡大断面図である。
【図２】本発明の一実施例の縦断面図である。
【図３】図１に示すIII ーIII 線断面図である。
【図４】従来例の縦断面図である。
【符号の説明】
２        弁ケース（固定部）
５        フランジ（固定部）
７        電磁コイル
８        圧縮コイルスプリング（付勢手段）
２１      電磁式燃料噴射装置
２２      噴射孔部材（固定部）
２３      案内孔部材（固定部）
２４      噴射孔
２５      案内孔
３１      弁部
３２      固定部
３３      可動部
３４      弁座面（固定部）
３５      ゴムシート（可動部）
３６      ゴムストッパ（可動部）
３８      調量部材（固定部）
４０      板ばね
４１      可動コア（可動部）
４２      ガイド部材（固定部）
４６      シム
４９      上室（燃料入口）
５０      下室（燃料出口）
５３      燃料供給孔
５４      燃料供給孔
５５      燃料溜室
５６、５７、５８  燃料通路
【図１】
0003666693.tif 000002
【図２】
0003666693.tif 000003
【図３】
0003666693.tif 000004
【図４】
0003666693.tif 000005